(57)【要約】  【課題】  制御基板収納ボックスの開閉等がいつ発生したかを停電時や遊技機の運搬中であっても正確に特定できる監視システム及びそれを搭載した遊技機を提供すること。  【解決手段】  監視システムは、ＩＣタグ８６と、そのＩＣタグ８６と無線通信を行うＲ／Ｗユニット３０とを有し、Ｒ／Ｗユニット３０に対して、それを動作させるための外部電源７４による電源供給がなされていない場合に、外部電源７４に代わって電源を供給するバッテリ７３と、外部電源７４およびバッテリ７３とは異なる電源からの電源供給を受けて動作可能なＲＴＣ７１と、システム本体に、バッテリ７３が取り付けられたことを検知する既存の電圧検出回路と、電圧検出回路が検知した時刻を記憶するＥＥＰＲＯＭ３５と、電圧検出回路が検知した時刻をＲＴＣ７１による計時結果に基づいてＥＥＰＲＯＭ３５に記憶させるＣＰＵ３２とを備えている。【選択図】  図５
2005312793.tif 000002
【特許請求の範囲】
【請求項１】
ＩＣタグと、そのＩＣタグと無線通信を行うＩＣタグ監視装置とを有する監視システムであって、
前記ＩＣタグ監視装置に対して、それを動作させるための主電源による電源供給がなされていない場合に、主電源に代わって電源供給を行う二次電池と、
前記主電源および二次電池以外の電源から電源供給を受けて動作可能な計時手段と、
システム本体に、前記二次電池が取り付けられたことを検知する第１検知手段と、
前記第１検知手段が検知した時刻を少なくとも記憶する記憶手段と、
前記第１検知手段が検知した時刻を前記計時手段による計時結果に基づいて前記記憶手段に記憶するよう制御する記憶制御手段とを備えたことを特徴とする監視システム。
【請求項２】
前記二次電池の蓄電量が所定の閾値以下となったことを検知する第２検知手段をさらに有し、
前記記憶制御手段は、前記第２検知手段が検知した時刻も前記計時手段による計時結果に基づいて前記記憶手段に記憶するよう制御することを特徴とする請求項１記載の監視システム。
【請求項３】
前記記憶制御手段は、前記無線通信の通信結果の少なくとも一部も前記記憶手段に記憶するよう制御することを特徴とする請求項１又は２記載の監視システム。
【請求項４】
ＩＣタグと、そのＩＣタグと無線通信を行うＩＣタグ監視装置とを有する監視システムを搭載した遊技機であって、
前記ＩＣタグ監視装置に対して、それを動作させるための主電源による電力供給がなされていない場合に、主電源に代わって電源供給を行う二次電池と、
前記主電源および二次電池以外の電源から電源供給を受けて動作可能な計時手段と、
システム本体に、前記二次電池が取り付けられたことを検知する第１検知手段と、
前記第１検知手段が検知した時刻を少なくとも記憶する記憶手段と、
前記第１検知手段が検知した時刻を前記計時手段による計時結果に基づいて前記記憶手段に記憶するよう制御する記憶制御手段とを備えたことを特徴とする遊技機。
【請求項５】
前記二次電池の蓄電量が所定の閾値以下となったことを検知する第２検知手段をさらに有し、
前記記憶制御手段は、前記第２検知手段が検知した時刻も前記計時手段による計時結果に基づいて前記記憶手段に記憶するよう制御することを特徴とする請求項４記載の遊技機。
【請求項６】
前記記憶制御手段は、前記無線通信の通信結果の少なくとも一部も前記記憶手段に記憶するよう制御することを特徴とする請求項４又は５記載の遊技機。
【発明の詳細な説明】
【技術分野】
【０００１】
本発明は、遊技機、例えばパチンコ機などの装置の状態を監視する監視システム及びそれを搭載した遊技機に関するものである。
【背景技術】
【０００２】
従来、所定の動作を行う装置の一種である遊技機のうちパチンコ機においては、遊技者が不当に遊技球を獲得する不正行為が後を絶たず、それに対して、これまで種々の防止策が施されていた。特に、遊技機の制御を司る制御基板の不正改造、例えば、正規ＲＯＭから不正ＲＯＭへの付け替えを防止するために、制御基板を収納する制御基板収納ボックスには、様々な工夫が施されていた。例えば、制御基板収納ボックスが不正に開放されたことがわかるように封印シールを貼付したり、また、制御基板収納ボックスを一方向にのみ回転する封印ビスによってかしめることで、開放が困難な状態にしたりしていた（例えば、特許文献１参照）。その他のものとしては、可動接点を用いて制御基板収納ボックスの開閉を検出し、その検出信号を記憶して、発光ダイオードにより報知するようにしたものもあった（例えば、特許文献２参照）。また、制御基板収納ボックスの表面にＩＣタグを貼着し、ＩＤ読取装置からの送信要求に応じてＩＣタグからその内部に記憶された識別情報をＩＤ読取装置に送信させ、識別情報を確認することにより、制御基板収納ボックスごと制御基板がすり替えられたか否かを判断できるようにしたものもあった（例えば、特許文献３参照）。そして更には、ＩＣタグを貼着した制御基板収納ボックスについて当社は、特願２００２−２４６０１７号の出願明細書および図面において、ＩＤ読取装置としてのＲ／Ｗユニットが二次電池としてのニッケル水素電池を備え、遊技機の停電時や、工場から遊技場までの運搬中で主電源から電源供給がなされていない状態でも、二次電池から電源供給を受けてＩＣタグとの無線通信を行えるようにすることで、制御基板収納ボックスが不正に開放されたことを検出できるようにしたものを提案している。
【特許文献１】特開平１０−２１６１１４１号公報
【特許文献２】特開平９−３４３６５号公報
【特許文献３】特開２０００−２８８２１８号公報
【発明の開示】
【発明が解決しようとする課題】
【０００３】
しかしながら、上述したような封印シールを用いたものでは、制御基板収納ボックスを開放して不正ＲＯＭへの付け替えが終了した後に、精巧な偽造封印シールを張られてしまうと制御基板収納ボックスが開閉されたか否かを判断することは困難だった。また、封印ビスを用いるものでは、特殊な工具で強制的に封印ビスを開放方向へ回して制御基板収納ボックスを開放して不正ＲＯＭへの付け替えが行われてしまうことがあった。さらに、可動接点を用いて制御基板収納ボックスの開閉を検出するものでは、制御基板収納ボックスは、通常透明な樹脂により形成されており、制御基板収納ボックスの開閉を検出する可動接点が用いられているのが直接目視により確認できるために、制御基板収納ボックスの隙間から、ピアノ線などを入れて可動接点が動かないようにされると開閉検出ができないという問題点があった。その上さらに上記３通りの従来技術では、制御基板収納ボックスが開閉されたか否かは、制御基板を目視しないと判断できないという問題点があり、このような不正行為は夜間に行われることが多いが、遊技場に何百台とある遊技機を毎朝点検確認するのは非常に煩雑であった。
【０００４】
また、ＩＣタグの識別により制御基板収納ボックスのすり替えを監視するものでは、ＩＤ読取装置が制御基板収納ボックスの外側に配置されているため、ＩＣタグとＩＤ読取装置の相対位置を変更せずに制御基板収納ボックスを開放し、収納された制御基板上のＲＯＭを不正なＲＯＭと付け替えることが可能であり、結局は、不正行為の早期発見には至らなかった。さらに、二次電池から電力の供給を受けてＩＣタグとの無線通信を行えるようにすることで、制御基板収納ボックスが不正に開放されたことを検出できるようにしたものにあっては、工場から遊技場までの遊技機の運搬中に二次電池が急に取り外された場合には、何らかの不正が行われた可能性があることはわかるが、実際に不正がなされていた場合に、それがいつ行われたかを正確に特定することができないことがあり、そのためどの部分、或いはいつの時点での防犯対策を重点的に強化すべきかがわからず、思い当たる全ての個所の防犯対策を強化してしまっていたため、効率が悪く、無駄な多くの費用が発生していた。
【０００５】
本発明は、上記課題を解決するためになされたものであり、制御基板収納ボックスの開閉等といった装置の状態の変化がいつ発生したかを停電時や工場から遊技場までの遊技機の運搬中であっても正確に特定できる手段を備えた監視システム及びそれを搭載した遊技機を提供することを目的としている。
【課題を解決するための手段】
【０００６】
上記目的を達成するために、請求項１に記載の監視システムは、ＩＣタグと、そのＩＣタグと無線通信を行うＩＣタグ監視装置とを有するものであって、前記ＩＣタグ監視装置に対して、それを動作させるための主電源による電源供給がなされていない場合に、主電源に代わって電源供給を行う二次電池と、前記主電源および二次電池以外の電源から電源供給を受けて動作可能な計時手段と、システム本体に、前記二次電池が取り付けられたことを検知する第１検知手段と、前記第１検知手段が検知した時刻を少なくとも記憶する記憶手段と、前記第１検知手段が検知した時刻を前記計時手段による計時結果に基づいて前記記憶手段に記憶するよう制御する記憶制御手段とを備えている。
【０００７】
ここにおいて、ＩＣタグは、ＲＦＩＤ（Ｒａｄｉｏ  Ｆｒｅｑｕｅｎｃｙ−ＩＤｅｎｔｉｆｉｃａｔｉｏｎ）とも呼ばれ、内蔵のＩＣチップは非接触型のＩＣカードと同様のものであり、非接触通信により交信を行うものである。そして、ＩＣチップ内にはメモリ領域が存在しており、そこには識別データとして、ＩＣタグ固有のＩＤコードに加えて、設置されている装置のＩＤ（メーカーＩＤ）、遊技場の管理コード（ホールＩＤ）等を追記して記憶させておくことが可能な構成となっている。これらのＩＤは、それぞれが６４ｂｉｔ程度のユニークな（一意に識別できる）情報で構成されており、ＩＤを２重３重に構成することで、複製して不正に利用することは非常に困難になる。そして呼出波に応答して送信される反射波にはこのような識別データが含まれているため、光や電気等に比べて改竄やいわゆる「なりすまし」が難しい。従って、常にはＩＣタグをＩＣタグ監視装置内の送受信回路に接続されたアンテナから通信可能な位置に設置しておくと、ＩＣタグを固着した部材が通信可能な範囲外へ移動する等した場合には反射波が受信できなくなり、通信不能状態となる。また、通信不能状態から通信可能範囲内の位置へ再び復帰すると、反射波が受信できる通信可能状態となる。このため、目視によらず部材の開放や移動等装置の状態の変化を検知することができる。このような通信不能と復帰を記憶させて履歴に残すようにすれば、正常な場合と不正な場合とを区別することもでき、効果的に監視を行うことができる。
【０００８】
また、請求項２に記載の監視システムは、請求項１に記載の発明の構成に加え、前記二次電池の蓄電量が所定の閾値以下となったことを検知する第２検知手段をさらに有し、前記記憶制御手段は、前記第２検知手段が検知した時刻も前記計時手段による計時結果に基づいて前記記憶手段に記憶するよう制御することを特徴としている。
【０００９】
更には、請求項３に記載の監視システムは、請求項１又は２に記載の発明の構成に加え、前記記憶制御手段は、前記無線通信の通信結果の少なくとも一部も前記記憶手段に記憶するよう制御することを特徴としている。
【００１０】
一方、請求項４に記載の遊技機は、ＩＣタグと、そのＩＣタグと無線通信を行うＩＣタグ監視装置とを有する監視システムを搭載したものであり、前記ＩＣタグ監視装置に対して、それを動作させるための主電源による電力供給がなされていない場合に、主電源に代わって電源供給を行う二次電池と、前記主電源および二次電池以外の電源から電源供給を受けて動作可能な計時手段と、システム本体に、前記二次電池が取り付けられたことを検知する第１検知手段と、前記第１検知手段が検知した時刻を少なくとも記憶する記憶手段と、前記第１検知手段が検知した時刻を前記計時手段による計時結果に基づいて前記記憶手段に記憶するよう制御する記憶制御手段とを備えている。
【００１１】
また、請求項５に記載の遊技機は、請求項４に記載の発明の構成に加え、前記二次電池の蓄電量が所定の閾値以下となったことを検知する第２検知手段をさらに有し、前記記憶制御手段は、前記第２検知手段が検知した時刻も前記計時手段による計時結果に基づいて前記記憶手段に記憶するよう制御することを特徴としている。
【００１２】
更には、請求項６に記載の遊技機は、請求項４又は５に記載の発明の構成に加え、前記記憶制御手段は、前記無線通信の通信結果の少なくとも一部も前記記憶手段に記憶するよう制御することを特徴としている。
【発明の効果】
【００１３】
請求項１に係る発明の監視システムでは、主電源による電源供給がなされていない状態において、ＩＣタグ監視装置は二次電池から電源供給を受けて動作し、計時手段は前記主電源および二次電池以外の電源から電源供給を受けて動作可能である。また、第１検知手段はシステム本体に前記二次電池が取り付けられたことを検知し、記憶手段は前記第１検知手段が検知した時刻を記憶し、記憶制御手段は前記第１検知手段が検知した時刻を前記計時手段による計時結果に基づいて前記記憶手段に記憶するよう制御する。したがって、二次電池が取り外され、不正が行われた場合にも、二次電池が再度取り付けられた時点で、その時刻を正確に記憶することができるため、不正がいつ行われたかを特定することができる。これにより、どの部分に対して、いつの時点での防犯対策を重点的に強化すべきかがわかるため、少ない費用で効率良く、防犯対策を施すことができる。
【００１４】
また、請求項２に係る発明の監視システムでは、請求項１に記載の発明の作用に加え、第２検知手段が前記二次電池の蓄電量が所定の閾値以下となったことを検知し、前記記憶制御手段が、前記第２検知手段が検知した時刻も前記計時手段による計時結果に基づいて前記記憶手段に記憶するよう制御することにより、前記記憶手段は前記第２検知手段が検知した時刻も記憶することができる。したがって、請求項１に記載の発明の効果に加え、前記二次電池の蓄電量が所定の閾値以下となった時刻がわかることから、ＩＣタグ監視装置の電源断が発生した際に、その電源断が二次電池の蓄電量が少なくなったために電源断となったことがわかる。したがって、記憶手段に記憶されている情報から係員は、二次電池が取り外されたことによる電源断か、それとも、二次電池に蓄電された電力を全て使い切ったことによる電源断かを読み取ることができる。また、所定の閾値以下となった時刻が頻繁に記録される場合には、二次電池の蓄電性能が落ちていたり、二次電池が故障していたりすることが考えられる。そこで、係員は記憶手段に記憶されている情報から二次電池の交換の必要性を読み取ることができる。
【００１５】
更には、請求項３に係る発明の監視システムでは、請求項１又は２に記載の発明の作用に加え、前記記憶制御手段が、前記無線通信の通信結果の少なくとも一部も前記記憶手段に記憶するよう制御する。したがって、請求項１又は２に記載の発明の効果に加え、単一の記憶手段を用いて、時刻と通信結果の両方を記憶したことにより、部品点数を増やして基板上の配置が複雑になったり、基板のサイズが大きくなったり、製造工程が増えたりすることなく実現することができる。
【００１６】
請求項４に係る発明の遊技機では、主電源による電源供給がなされていない状態において、ＩＣタグ監視装置は二次電池から電源供給を受けて動作し、計時手段は前記主電源および二次電池以外の電源から電源供給を受けて動作可能である。また、第１検知手段はシステム本体に前記二次電池が取り付けられたことを検知し、記憶手段は前記第１検知手段が検知した時刻を記憶し、記憶制御手段は前記第１検知手段が検知した時刻を前記計時手段による計時結果に基づいて前記記憶手段に記憶するよう制御する。したがって、二次電池が取り外され、不正が行われた場合にも、二次電池が再度取り付けられた時点で、その時刻を正確に記憶することができるため、不正がいつ行われたかを特定することができる。これにより、どの部分に対して、いつの時点での防犯対策を重点的に強化すべきかがわかるため、少ない費用で効率良く、防犯対策を施すことができる。
【００１７】
また、請求項５に係る発明の遊技機では、請求項４に記載の発明の作用に加え、第２検知手段が前記二次電池の蓄電量が所定の閾値以下となったことを検知し、前記記憶制御手段は、前記第２検知手段が検知した時刻も前記計時手段による計時結果に基づいて前記記憶手段に記憶するよう制御することにより、前記記憶手段は前記第２検知手段が検知した時刻も記憶することができる。したがって、請求項４に記載の発明の効果に加え、前記二次電池の蓄電量が所定の閾値以下となった時刻がわかることから、ＩＣタグ監視装置の電源断が発生した際に、その電源断が二次電池の蓄電量が少なくなったために電源断となったことがわかる。したがって、記憶手段に記憶されている情報から係員は、二次電池が取り外されたことによる電源断か、それとも、二次電池に蓄電された電力を全て使い切ったことによる電源断かを読み取ることができる。また、所定の閾値以下となった時刻が頻繁に記録される場合には、二次電池の蓄電性能が落ちていたり、二次電池が故障していたりすることが考えられる。そこで、係員は記憶手段に記憶されている情報から二次電池の交換の必要性を読み取ることができる。
【００１８】
更には、請求項６に係る発明の遊技機では、請求項４又は５に記載の発明の作用に加え、前記記憶制御手段が、前記無線通信の通信結果の少なくとも一部も前記記憶手段に記憶するよう制御する。したがって、請求項４又は５に記載の発明の効果に加え、単一の記憶手段を用いて、時刻と通信結果の両方を記憶したことにより、部品点数を増やして基板上の配置が複雑になったり、基板のサイズが大きくなったり、製造工程が増えたりすることなく実現することができる。
【発明を実施するための最良の形態】
【００１９】
以下、本発明の一実施の形態について図面を参照ながら以下の順で説明する。
１．システム構成の概要説明
２．装置の構成に関する説明
３．ＩＣタグの説明
４．監視場所の説明
５．監視情報の説明
６．監視処理の説明
７．監視開始の説明
８．実施の形態と請求項との対比
９．変形例の説明
【００２０】
１．システム構成の概要説明
図１は、本実施の形態である遊技場における遊技機の監視システムの構成を示す図である。遊技場内にあるパチンコ機１の各々には、パチンコ機１の部材の監視を行うリーダライタユニット（以下、Ｒ／Ｗユニットと称する）３０が付属されており、複数台のパチンコ機１を背中合わせに２列に並べて設置した遊技機設置島２００の各々には島管理端末１００が設置されている。そして、前記Ｒ／Ｗユニット３０は、店内ネットワーク１５０を介して島管理端末１００に接続される構成となっている。また、島管理端末１００は遊技場全体を管理する遊技場管理端末３００に接続されており、この遊技場管理端末３００が各島管理端末１００を一括管理している。尚、本実施形態の監視システムでは、Ｒ／Ｗユニット３０が「ＩＣタグ監視装置」に相当している。
【００２１】
各パチンコ機１には、監視を行う場所に監視用ＩＣタグ８６が設置されており、正常に設置されている場合、監視用ＩＣタグ８６と通信可能な位置には監視用アンテナ６８が設置されている。本実施の形態では、大入賞口の開閉扉や基板ボックス等合計６箇所に設置されているが、具体的な設置場所については図２および図３を参照して後述する。そして、監視の結果、異常が発生したり、異常が回復したりした場合には、その情報が監視情報としてＲ／Ｗユニット３０のＥＥＰＲＯＭ３５、ＲＡＭ３４に記憶されるようになっている。また、異常が回復した場合には、その監視場所に設置されている監視用ＩＣタグ８６のＥＥＰＲＯＭ８６３（図７参照）に、異常の発生情報と回復情報が監視情報として記憶されるようになっている（図５参照）。そして、これらの情報は島管理端末１００に送信されて、さらに遊技場管理端末３００へ送信されるようになっている。島管理端末１００は受信した監視情報を報知し、その監視情報に対して遊技場内で係員が対応できるように構成されており、遊技場管理端末３００では店内ネットワーク１５０に接続している全てのパチンコ機１の監視情報を収集し、蓄積することができるように構成されている。
【００２２】
尚、Ｒ／Ｗユニット３０は、例えばニッケル水素電池からなる二次電池としてのバッテリ７３（図５参照）を備えているので、工場出荷時に予め充電しておけば、遊技場の停電等によるＲ／Ｗユニット３０の電源断時、或いはパチンコ機１の工場から遊技場までの運搬中にも主基板ボックス８１及びセンターカバー８０の開閉を監視することができる。また、バッテリ７３が装着されたことを検知する後述する第１検知手段とＲＴＣ（リアルタイムクロック）７１を備えているため、バッテリ７３を取り外して不正が行われた場合にも、その後のバッテリ７３の再装着を検知して、その時刻をＲＴＣ７１により特定し、ＥＥＰＲＯＭ３５に記憶することができることにより、不正がいつ行われたかを推察することができる。これにより、どの部分、或いはいつの時点での防犯対策を重点的に強化すべきかがわかるため、少ない費用で効率良く、防犯対策を施すことができる。更には、後述するＩ／Ｏインタフェイス３７内の公知の電圧検出回路（図示せず）においてバッテリ７３からの電圧が測定されることにより、蓄電残量が所定量以下になったことを検知し、そのことを記録することができるため、Ｒ／Ｗユニット３０の電源断が蓄電量の低下によるものであることがわかるようになっている。
【００２３】
２．装置の構成に関する説明
次に、図２乃至図５を参照してパチンコ機１の構造、およびパチンコ機１に備えられたＲ／Ｗユニット３０について説明する。図２はパチンコ機１の前面枠１１１及び本体枠１１０を開いた状態を前面から見た斜視図であり、図３はパチンコ機１の背面図であり、図４はＲ／Ｗユニット３０の斜視図であり、図５はパチンコ機１及びそれに付属したＲ／Ｗユニット３０の電気的構成を示すブロック図である。
【００２４】
図２に示すように、パチンコ機１は、機枠１１２と、本体枠１１０と、前面枠１１１とを備えている。機枠１１２は、パチンコ機１を遊技機設置島２００に固定するための木製の枠である。また、本体枠１１０には、パチンコ機１の制御を司る種々の基板、図示外の発射機に遊技球を供給し、且つ賞品球を受ける上皿５、同じく賞品球を受ける下皿６、遊技球を発射するための発射ハンドル７、音声を発するスピーカー４８から成る本体１１３及び遊技盤２がはめ込まれている。そして、種々の基板は本体枠１１０の背面に備えられている。また、略正方形の遊技盤２は、本体１１３の正面の上半分の部分に設けられ、遊技盤２の下方部には上皿５が設けられ、上皿５の直下には下皿６が設けられ、下皿６の右横には発射ハンドル７が設けられ、上皿５と下皿６の間にはスピーカー４８が設けられている。そして、前面枠１１１は、透明なガラス板１１１ａを保持し、遊技盤２の前面を保護するため覆う構成となっている。また、遊技盤２には、ガイドレール３で囲まれた略円形の遊技領域４が設けられており、発射ハンドル７を操作することにより発射された遊技球がガイドレール３に導かれて遊技領域４へ侵入し、流下するように構成されている。尚、遊技領域４の下部には、大入賞口１６が設けられ、さらには、種々の入賞口、電飾ランプ、風車、障害釘及び図柄表示装置等が設けられている。
【００２５】
次に、図３を参照してパチンコ機１の背面の構造について説明する。図３に示すように、パチンコ機１の左下部背面には、パチンコ機１の主制御を司る主基板４１を収納した透明な樹脂製の主基板ボックス８１が設けられ、その主基板ボックス８１の右隣には音基板４３が、そして、その音基板４３の右隣上方には電源基板４２がそれぞれ透明な樹脂製のボックスに収められ、その下方には払出制御基板４５が透明な樹脂製の払出制御基板ボックス８２に収められて配置されている。さらに、主基板ボックス８１の上方には、遊技盤２の裏面を保護し、各種配線を覆うセンターカバー８０が配置され、そのセンターカバー８０の外側には、Ｒ／Ｗ基板３１を収納したＲ／Ｗユニット３０が設置されている。
【００２６】
次に、図４を参照して、Ｒ／Ｗユニット３０の外観について説明する。Ｒ／Ｗユニット３０は略立方体の形状をしており、内部にＲ／Ｗ基板３１を備えている。また、Ｒ／Ｗユニット３０をセンターカバー８０へ取り付ける際に、Ｒ／Ｗユニット３０におけるセンターカバー８０への取付面と対向する面には、通信状態ＬＥＤ７６ａ，通信状態ＬＥＤ７６ｂ，通信状態ＬＥＤ７６ｃ，通信状態ＬＥＤ７６ｄ，通信状態ＬＥＤ７６ｅ，通信状態ＬＥＤ７６ｆ、監視開始ＬＥＤ７７ａ，監視開始ＬＥＤ７７ｂ，監視開始ＬＥＤ７７ｃ，監視開始ＬＥＤ７７ｄ，監視開始ＬＥＤ７７ｅ，監視開始ＬＥＤ７７ｆが設けられている。ここにおいて、通信状態ＬＥＤ７６ａ，通信状態ＬＥＤ７６ｂ，通信状態ＬＥＤ７６ｃ，通信状態ＬＥＤ７６ｄ，通信状態ＬＥＤ７６ｅ，通信状態ＬＥＤ７６ｆは、各監視場所の監視用ＩＣタグ８６がＲ／Ｗ基板３１と通信状態となった場合に点灯するようになっている。また、監視開始ＬＥＤ７７ａ，監視開始ＬＥＤ７７ｂ，監視開始ＬＥＤ７７ｃ，監視開始ＬＥＤ７７ｄ，監視開始ＬＥＤ７７ｅ，監視開始ＬＥＤ７７ｆは、各監視場所について記憶可能状態となった場合に点灯するようになっている。
【００２７】
ここにおいて通信状態とは、Ｒ／Ｗ基板３１から各監視用ＩＣタグ８６に呼出波を送信し、監視用ＩＣタグ８６から予め登録されているＩＤコードを含む反射波が返送されてきている状態を言う。また、記憶可能状態とは、監視を開始されて、監視情報を記憶する状態となっている状態をいう。尚、監視場所は６つ設けられており、通信状態ＬＥＤ７６ａ及び監視開始ＬＥＤ７７ａが監視場所１の状態を示し、通信状態ＬＥＤ７６ｂ及び監視開始ＬＥＤ７７ｂが監視場所２の状態を示し、通信状態ＬＥＤ７６ｃ及び監視開始ＬＥＤ７７ｃが監視場所３の状態を示し、通信状態ＬＥＤ７６ｄ及び監視開始ＬＥＤ７７ｄが監視場所４の状態を示し、通信状態ＬＥＤ７６ｅ及び監視開始ＬＥＤ７７ｅが監視場所５の状態を示し、通信状態ＬＥＤ７６ｆ及び監視開始ＬＥＤ７７ｆが監視場所６の状態を示しており、各ＬＥＤは、監視場所を示す「１」〜「６」の番号に対応して、どのＬＥＤがどの監視場所を示しているのかが判るように、Ｒ／Ｗユニット３０におけるセンターカバー８０への取付面と対向する面に配置されている。具体的な監視場所については、図２及び図３を参照して後述する。
【００２８】
次に、図５を参照してパチンコ機１及びパチンコ機１に付属したＲ／Ｗユニット３０の主な構成要素の電気的構成について説明する。パチンコ機１には、主基板４１、電源基板４２、音基板４３、図柄表示基板４４、払出制御基板４５、電飾基板４６、中継基板４７、発射基板６６、サブ統合基板５８等が設けられている。主基板４１には、各種の演算処理を行うＣＰＵ５１が設けられており、そこにはフラグやカウンタ値やデータを記憶するＲＡＭ５２と、制御プログラム及び各種の初期値のデータや図柄表示装置（図示外）への表示内容のデータ等を記憶したＲＯＭ５３とが接続されている。また、ＣＰＵ５１は、Ｉ／Ｏインタフェイス５４に接続されおり、Ｉ／Ｏインタフェイス５４には、Ｒ／Ｗユニット３０へデータを引き渡すための出力ポート５５、サブ統合基板５８、払出制御基板４５、中継基板４７が接続されている。さらに、サブ統合基板５８には図柄表示基板４４、電飾基板４６、音基板４３が接続され、払出制御基板４５には発射基板６６が接続されている。電源基板４２は遊技機設置島２００の電源装置（図示外）の外部電源７４から電源供給を受けており、主基板４１、サブ統合基板５８、払出制御基板４５、発射基板６６に電源供給を行うようになっている。
【００２９】
尚、Ｒ／Ｗユニット３０の電源は、電源基板４２からではなく遊技機設置島２００の電源装置（図示外）の外部電源７４から電源入力コネクタ７５を用いて供給されている。さらに、バッテリ７３を搭載しており、バッテリ７３は電源回路７２に接続されている。外部電源７４からの電源供給が断たれた場合には、自動的にバッテリ７３から電源がＲ／Ｗ基板３１へ供給される。そして、このバッテリ７３の蓄電量が少なくなった際には、電源回路７２により自動的に充電が行われる。尚、電源回路７２は、整流器、レギュレータ、電解コンデンサ、トランジスタ等を使用した公知の充電回路を備えている。
【００３０】
また、Ｒ／Ｗユニット３０にはＲ／Ｗ基板３１が備えられており、Ｒ／Ｗ基板３１にはＲ／Ｗユニット３０の制御を司るＣＰＵ３２が設けられている。ＣＰＵ３２はフラグやデータ等を一時的に記憶するＲＡＭ３４、制御プログラム及び各種の初期値のデータ等を記憶したＲＯＭ３３が内蔵されている。そして、ＣＰＵ３２には、監視情報等を記憶するＥＥＰＲＯＭ３５、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆへ呼出波を送信し、反射波を受信するためのＲａｄｉｏ  Ｆｒｅｑｕｅｎｃｙ回路（以下、ＲＦ回路と称する）３８、パチンコ機１の主基板４１の出力ポート５５と接続する入力ポート３９、時間管理を行うＲＴＣ７１、Ｉ／Ｏインタフェイス３７が接続されている。ここにおいて、ＲＴＣ７１は、本発明の「計時手段」に相当しており、外部電源７４およびバッテリ７３とは異なる図示しないリチウム電池により電源供給されている。Ｉ／Ｏインタフェイス３７には、島管理端末１００に接続するための店内ネットワーク１５０に接続する通信回路３６、通信状態ＬＥＤ７６ａ，通信状態ＬＥＤ７６ｂ，通信状態ＬＥＤ７６ｃ，通信状態ＬＥＤ７６ｄ，通信状態ＬＥＤ７６ｅ，通信状態ＬＥＤ７６ｆ、監視開始ＬＥＤ７７ａ，監視開始ＬＥＤ７７ｂ，監視開始ＬＥＤ７７ｃ，監視開始ＬＥＤ７７ｄ，監視開始ＬＥＤ７７ｅ，監視開始ＬＥＤ７７ｆが接続されている。さらに、ＲＦ回路３８に監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆと通信するための監視用アンテナ６８ａ，監視用アンテナ６８ｂ，監視用アンテナ６８ｃ，監視用アンテナ６８ｄ，監視用アンテナ６８ｅ，監視用アンテナ６８ｆが接続されている。
【００３１】
また、パチンコ機１の各監視場所には監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆが貼り付けられており、それらと１対１で通信可能な位置に監視用アンテナ６８ａ，監視用アンテナ６８ｂ，監視用アンテナ６８ｃ，監視用アンテナ６８ｄ，監視用アンテナ６８ｅ，監視用アンテナ６８ｆが設置されている。尚、監視用アンテナ６８ａは監視用ＩＣタグ８６ａと通信を行い、監視用アンテナ６８ｂは監視用ＩＣタグ８６ｂと通信を行い、監視用アンテナ６８ｃは監視用ＩＣタグ８６ｃと通信を行い、監視用アンテナ６８ｄは監視用ＩＣタグ８６ｄと通信を行い、監視用アンテナ６８ｅは監視用ＩＣタグ８６ｅと通信を行い、監視用アンテナ６８ｆは監視用ＩＣタグ８６ｆと通信を行うようになっている。
【００３２】
３．ＩＣタグの説明
次に、図６及び図７を参照して、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの構造について説明する。図６は、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの平面図である。図７は、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの電気的回路構成を示すブロック図である。監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆは、それぞれ同様の構造をしている。図７に示すように、Ｒ／Ｗユニット３０からの呼出波に応答して反射波を放出するＲＦ回路８６１、アンテナ６８２、ＥＥＰＲＯＭ８６３が搭載されている。また、監視用ＩＣタグ８６は、図６に示すように、薄いフレキシブルプリント基板上にアンテナ６８２及びＩＣチップ８６４が設けられており、ＩＣチップ８６４には、ＲＦ回路８６１とＥＥＰＲＯＭ８６３とが一体となって構成されている。さらに、ＥＥＰＲＯＭ８６３には、監視用ＩＣタグ８６を他の監視用ＩＣタグから識別するための識別情報であるＩＤコードが上書消去禁止区域に記憶されている。
【００３３】
上記構成により、Ｒ／Ｗユニット３０から監視用アンテナ６８を介して呼出波が送られてくると、アンテナ６８２がこれを受信するが、この呼出波には搬送波成分が含まれており、これを受信してＲＦ回路８６１で整流して直流電圧を得る。従って、監視用ＩＣタグ８６は、電池や外部電源７４を使用せずに必要な時にいつでもデータを発信することができる。また、データの発信は、ＥＥＰＲＯＭ８６３からＩＤコードを読み出して反射波に乗せ、ＲＦ回路８６１から監視用アンテナ６８に向けて送信する。
【００３４】
４．監視場所の説明
次に、図２、図３、図８、図９を参照して、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆが備えられている監視場所について説明する。監視場所は、主基板４１が収容されている主基板ボックス８１（監視場所１）、払出制御基板４５が収容されている払出制御基板ボックス８２（監視場所２）、遊技盤の裏面を保護し、各種配線を覆うセンターカバー８０（監視場所３）、本体枠１１０と機枠１１２（監視場所４）、前面枠１１１と本体枠１１０（監視場所５）、大入賞口１６（監視場所６）の６箇所であり、その開閉が監視されている。尚、監視場所１である主基板ボックス８１を監視するために、監視用ＩＣタグ８６ａ及び監視用アンテナ６８ａが使用され、監視場所２である払出制御基板ボックス８２を監視するために、監視用ＩＣタグ８６ｂ及び監視用アンテナ６８ｂが使用され、監視場所３であるセンターカバー８０を監視するために、監視用ＩＣタグ８６ｃ及び監視用アンテナ６８ｃが使用され、監視場所４である本体枠１１０と機枠１１２を監視するために、監視用ＩＣタグ８６ｄ及び監視用アンテナ６８ｄが使用され、監視場所５である前面枠１１１と本体枠１１０を監視するために、監視用ＩＣタグ８６ｅ及び監視用アンテナ６８ｅが使用され、監視場所６である大入賞口１６を監視するために、監視用ＩＣタグ８６ｆ及び監視用アンテナ６８ｆが使用されている。
【００３５】
図３に示すように、主基板ボックス８１の図３における正面視右下の内面には監視用ＩＣタグ８６ａが貼り付けられており、払出制御基板ボックス８２の図３における正面視右側の内面には監視用ＩＣタグ８６ｂが貼り付けられており、センターカバー８０の図３における正面視右側に監視用ＩＣタグ８６ｃが貼り付けられている。ここで、図８を参照して主基板ボックス８１の概要について説明する。図８に示すように、主基板ボックス８１は、透明な樹脂製の平面視略長方形の上蓋部８１ａと、同じく透明な樹脂製の平面視略長方形の下蓋部８１ｃとから構成されている。また、上蓋部８１ａに対向する下蓋部８１ｃ上には、パチンコ機１の主制御を司る主基板４１が配置されている。そして、上蓋部８１ａの裏面側には、小型で長方形の監視用ＩＣタグ８６ａが接着剤等で接着されている。主基板４１の右下端部には、切り欠きが設けられ、その切り欠き位置には監視用ＩＣタグ８６と電磁波によるＲＦ送受信を行うためのコイル状の監視用アンテナ６８ａが下蓋部８１ｃに設けられ、監視用アンテナ６８ａは同軸ケーブルによりＲ／Ｗ基板３１に接続されている。尚、払出制御基板ボックス８２も主基板ボックス８１と同様の構造をしており、払出制御基板４５の右下部に切り欠きが設けられて、監視用アンテナ６８ｂが下蓋部に設けられている。また、本体の背面においてセンターカバー８０に取り付けられている監視用ＩＣタグ８６ｃと対向する場所には、監視用アンテナ６８ｃが設けられている。
【００３６】
また、図２に示すように、機枠１１２の図２における右枠の内面には監視用ＩＣタグ８６ｄが貼り付けられており、本体１１３の右側面には監視用アンテナ６８ｄが備えられている。尚、監視用ＩＣタグ８６ｄと監視用アンテナ６８ｄとは本体枠１１０と機枠１１２とが閉じられた場合に、向き合う位置に配置されており、本体枠１１０と機枠１１２とが開けられた状態では、監視用ＩＣタグ８６ｄと監視用アンテナ６８ｄとが通信不能となるように調整されている。また、前面枠１１１と本体枠１１０とが閉じられた状態での、前面枠１１１の正面視右上の裏面（本体枠１１０と向き合う面）には、監視用ＩＣタグ８６ｅが貼り付けられている。そして、本体枠１１０の上枠の表面（前面枠１１１と向き合う面）には、監視用アンテナ６８ｅが備えられている。尚、監視用ＩＣタグ８６ｅと監視用アンテナ６８ｅとは前面枠１１１と本体枠１１０とが閉じられた場合に、向き合う位置に配置されており、前面枠１１１と本体枠１１０とが開けられた状態では、監視用ＩＣタグ８６ｅと監視用アンテナ６８ｅとが通信不能となるように調整されている。さらに、遊技領域４の下部には所定条件の成立により開閉扉１６ａを開閉する可変入賞装置の一種である大入賞口１６が設けられており、大入賞口１６を開閉するための開閉扉１６ａの内側に監視用ＩＣタグ８６ｆが貼り付けられ、大入賞口１６の周囲には監視用アンテナ６８ｆが設けられている。
【００３７】
ここで、図９を参照して、大入賞口１６が設けられているアタッカ部材１６０への監視用ＩＣタグ８６ｆの設置について説明する。図９に示すように、アタッカ部材１６０の開閉扉１６ａの表面には、前述した監視用ＩＣタグ８６ｆが貼り付けられ、さらに監視用ＩＣタグ８６ｆを覆うように装飾シール等が貼付されて遊技者からは見えないようになっている。また、アタッカ部材１６０の開口部１６ｂである大入賞口１６の周囲には、監視用ＩＣタグ８６ｆを囲むようにループ形状の監視用アンテナ６８ｆが設けられ、監視用アンテナ６８ｆは同軸ケーブルによりＲ／Ｗユニット３０に接続されている。この監視用ＩＣタグ８６ｆは、送受信方向に指向性があり、監視用アンテナ６８ｆと平行に位置した場合のみ送受信可能な構成となっている。大入賞口１６の閉鎖状態では、開閉扉１６ａが大入賞口１６の開口部１６ｂを塞いでおり、監視用ＩＣタグ８６ｆと監視用アンテナ６８ｆはほぼ同一平面上に位置しているので、送受信可能であり、監視用アンテナ６８ｆを介したＲ／Ｗユニット３０からの呼出波に対して監視用ＩＣタグ８６ｆから反射波が返される。一方、図９に示すように開閉扉１６ａが開くと、監視用ＩＣタグ８６ｆと監視用アンテナ６８ｆとは平行でなくなり、通信可能な臨界角度を超えるので、監視用ＩＣタグ８６ｆはＲ／Ｗユニット３０からの呼び出しに応答できなくなる。
【００３８】
尚、本実施形態において、監視用ＩＣタグ８６と監視用アンテナ６８は、１３．５６ＭＨｚの短波帯で通信を行っている。この周波数での通信はノイズによる影響を比較的受けにくいので、パチンコ機１の設置環境に適している。監視用アンテナ６８ａと監視用ＩＣタグ８６ａとの距離は、上蓋部８１ａと下蓋部８１ｃを組み付けた状態で約３ｍｍになるように配置されている。この距離間ではＲＦ送受信が可能であり監視用アンテナ６８ａを介したＲ／Ｗユニット３０からの呼び出しに監視用ＩＣタグ８６ａが応答することができ、監視用アンテナ６８ａと監視用ＩＣタグ８６ａとの距離が約５ｍｍを超えると通信不能となるように設定されている。この通信可能距離は、監視用アンテナ６８のコイルの巻き数やリアクタンス値により調節が可能である。このように通信可能距離を設定することにより、上蓋部８１ａのわずかな隙間の開放であっても検知することができ、また、振動等によるわずかな揺れでは通信不能とならないように調整されている。また、上述したように、この周波数帯での通信はノイズによる影響を比較的受けにくいが、他の電磁波を使用する部材からのノイズの影響による誤動作を少しでも防ぐために、監視用ＩＣタグ８６や監視用アンテナ６８は、ソレノイドを使用している賞品球払出装置や発射モータから離した位置である主基板４１の右下端部に配置している。また、監視用アンテナ６８ｆと監視用ＩＣタグ８６ｆ間の通信も１３．５６ＭＨｚの短波帯で行われており、この周波数帯での通信はノイズによる影響を受けにくいが、他の電磁波を使用する部材からのノイズの影響による誤動作を少しでも防ぐために、開閉扉１６ａの動作を制御する大入賞口開放ソレノイド７０は、監視用ＩＣタグ８６ｆや監視用アンテナ６８ｆから離したアタッカ部材１６０の左奥に配置されている。
【００３９】
５．監視情報の説明
次に、図１０乃至図１２を参照して、Ｒ／Ｗユニット３０がパチンコ機１に取り付けられた監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆを監視した監視結果について説明する。監視結果は次の４箇所に記憶されている。Ｒ／Ｗ基板３１のＥＥＰＲＯＭ３５、Ｒ／Ｗ基板３１のＲＡＭ３４、異常が発生した監視用ＩＣタグ８６のＥＥＰＲＯＭ８６３、遊技場管理端末３００である。Ｒ／Ｗ基板３１のＥＥＰＲＯＭ３５には、Ｒ／Ｗユニット３０が備えられているパチンコ機１で発生した異常に関する最新の情報が監視場所毎に記憶されている。Ｒ／Ｗ基板３１のＲＡＭ３４には、Ｒ／Ｗユニット３０が備えられているパチンコ機１で発生した異常に関する１日分の情報が時系列で記憶されている。異常が発生した監視用ＩＣタグ８６のＥＥＰＲＯＭ８６３には、その監視用ＩＣタグ８６で発生した異常に関する情報が、異常が回復した際に時系列で記憶されている。遊技場管理端末３００には、店内ネットワーク１５０に接続されたパチンコ機１の監視情報の全てが記憶されている。
【００４０】
図１０は、各監視場所の最新の監視情報が記憶されているＲ／Ｗ基板３１のＥＥＰＲＯＭ３５の最新監視情報記憶エリア３５１の概念図である。図１１は、１日分の監視情報が記憶されているＲ／Ｗ基板３１のＲＡＭ３４の履歴監視情報記憶エリア３４１の概念図である。図１２は、監視用ＩＣタグ８６のＥＥＰＲＯＭ８６３の監視情報記憶エリア８６３１の概念図である。
【００４１】
まず、図１０を参照して、各監視場所の最新の監視情報が記憶されているＲ／Ｗ基板３１のＥＥＰＲＯＭ３５の最新監視情報記憶エリア３５１について説明する。図１０に示すように、最新監視情報記憶エリア３５１には、監視場所１〜監視場所６毎に発生日付、発生時刻、復帰日付、復帰時刻、ＩＤエラー、電源の情報が記憶されている。
【００４２】
「発生日付」及び「発生時刻」には異常が発生した日付及び時刻がそれぞれ記憶され、「復帰日付」及び「復帰時刻」には異常が復帰した日付及び時刻がそれぞれ記憶され、「ＩＤエラー」には異常がＩＤコードの不一致に因るＩＤエラーであるか否かの情報が記憶されている。尚、「ＩＤエラー」に「１」が記憶されている場合には、発生した異常の内容がＩＤコードの不一致に因るものであることを示している。「１」以外の値が記憶されている場合には、ＩＤコードの不一致に因らない異常、すなわち監視用ＩＣタグ８６から応答がない応答エラーであることを示している。「電源」には、そのエラーがバッテリ７３による電源供給時に発生したものであるか否かを示している。「１」である場合には、バッテリ７３から電源供給されていることを示しており、「０」である場合には、外部電源７４から電源供給されていることを示している。尚、バッテリ７３から電源供給されているか否かの情報は、後述する電源監視処理で用いられているバッテリ供給フラグを参照する。このバッテリ供給フラグはバッテリ７３から電源供給されている場合には「１」が記憶されて「ＯＮ」となっており、外部電源７４から電源供給されている場合には、「０」が記憶されて「ＯＦＦ」となっている。
【００４３】
図１０に示す例では、監視場所１の発生日付には２００３年２月２０日、発生時刻には１１時２５分１９秒、ＩＤエラーには「１」、電源には「１」が記憶されており、復帰日付には、復帰時刻には、何も記憶されていない。つまり、監視場所１ではＩＤコードの不一致に因るＩＤエラーが、バッテリ７３供給時に発生し、まだ正常状態に復帰していない。監視場所２の発生日付には２００３年２月２０日、発生時刻には１１時３０分２５秒、ＩＤエラーには「１」、電源には「１」が記憶されており、復帰日付には、復帰時刻には、何も記憶されていない。つまり、監視場所２ではＩＤコードの不一致に因るＩＤエラーが、バッテリ７３供給時に発生し、まだ正常状態に復帰していない。監視場所３の発生日付には２００３年２月２０日、発生時刻には１１時１３分３５秒、復帰日付には２００３年２月２０日、復帰時刻には１１時３０分４８秒、ＩＤエラーには「０」、電源には「１」が記憶されている。監視場所４には、何もデータが記憶されていない。つまり、まだ一度も異常が発生していない。
【００４４】
監視場所５の発生日付には２００３年２月２２日、発生時刻には１１時３２分１２秒、復帰日付には２００３年２月２０日、復帰時刻には１１時３６分２１秒、ＩＤエラーには「０」、電源には「１」が記憶されている。監視場所６には、何もデータが記憶されていない。つまり、まだ一度も異常が発生していない。また、図示はしないが、復帰日付と復帰時刻のみがＥＥＰＲＯＭ３５の最新監視情報記憶エリア３５１に記憶され、発生日付と発生時刻が記憶されない場合がある。この場合、電源には「１」が記憶されている。これはバッテリ７３による電源供給時にバッテリ７３が取り外されたことを示すものであり、電源供給がなされないため、発生日付と発生時刻は記憶できず、再度バッテリ７３が取り付けられた際に、その復帰日付と復帰時刻を記憶するために起こるものである。また、上記発生日付，発生時刻，復帰日付，復帰時刻はＲＴＣ７１による計時結果に基づいて、算出されている。
【００４５】
次に、図１１を参照して、１日分の監視情報が記憶されているＲ／Ｗ基板３１のＲＡＭ３４の履歴監視情報記憶エリア３４１について説明する。図１１に示すように、履歴監視情報記憶エリア３４１には、時刻、監視場所、状態、ＩＤエラー、電源の情報が時系列に記憶されている。「時刻」には、異常が発生又は復帰した時刻が記憶され、「監視場所」にはその異常が発生又は復帰した場所を示す番号が記憶され、「状態」には異常が発生したのかそれとも復帰したのかを示すコードが記憶され、「ＩＤエラー」には異常がＩＤコードの不一致に因るＩＤエラーであるか否かの情報が記憶される。尚、「状態」に「１」が記憶されている場合には、異常が発生したことを示しており、「２」が記憶されている場合には、異常が回復したことを示している。また、「ＩＤエラー」に「１」が記憶されている場合には、発生した異常の内容がＩＤコードの不一致に因るものであることを示している。「１」以外の値が記憶されている場合には、ＩＤコードの不一致に因らない異常、すなわち監視用ＩＣタグ８６から応答がない応答エラーであることを示している。「電源」には、そのエラーがバッテリ７３による電源供給時に発生したものであるか否かを示している。「１」である場合には、バッテリ７３から電源供給されていることを示しており、「０」である場合には、外部電源７４から電源供給されていることを示している。
【００４６】
図１１に示す例からは次のような状況を読み取ることができる。まず、１１時１３分３５秒に監視場所３（センターカバー８０）に応答エラーが発生している。そして、１１時１３分４２秒に監視場所１（主基板ボックス８１）に応答エラーが発生し、１１時２５分１９秒に復帰している。そして、その直後の１１時２５分１９秒に監視場所１にＩＤエラーが発生している。つまり、まずセンターカバー８０が開かれ、次に主基板ボックス８１が取り外され、不正な主基板ボックスが取り付けられて、ＩＤエラーが発生したと推測できる。また、さらに１１時２５分５０秒には監視場所２（払出制御基板ボックス８２）に応答エラーが発生しており、１１時３０分２５秒に復帰し、１１時３０分２５秒にＩＤエラーが発生している。ここでは払出制御基板ボックスが取り替えられたことが推測できる。そして、１１時３０分４８秒に監視場所３で応答エラーが復帰しているので、センターカバー８０が閉じられたことがわかる。また、１１時３２分１２秒に監視場所５（前面枠１１１と本体枠１１０）に応答エラーが発生しており、１１時３６分２１秒に復帰しているので、前面枠１１１が本体枠１１０から開かれたことが判る。なお、これらのエラーが発生した際には、バッテリ７３から電源供給されている。
【００４７】
次に、図１２を参照して、監視用ＩＣタグ８６のＥＥＰＲＯＭ８６３の監視情報記憶エリア８６３１について説明する。監視情報記憶エリア８６３１には、この監視用ＩＣタグ８６で発生した異常の発生日付、発生時刻、復帰日付、復帰時刻、電源の情報が時系列に全て記憶されている。「発生日付」及び「発生時刻」には異常が発生した日付及び時刻がそれぞれ記憶され、「復帰日付」及び「復帰時刻」には異常が復帰した日付及び時刻がそれぞれ記憶される。「電源」には、そのエラーがバッテリ７３による電源供給時に発生したものであるか否かを示している。「１」である場合には、バッテリ７３から電源供給されていることを示しており、「０」である場合には、外部電源７４から電源供給されていることを示している。尚、ここに記憶されるのは応答エラーのみである。
【００４８】
図１２に示す例は監視場所１に設置されている監視用ＩＣタグ８６ａのＥＥＰＲＯＭ８６３に記憶されている監視情報記憶エリア８６３１である。２００３年２月２０日の１１時１３分４２秒に応答エラーが発生して、２００３年２月２０日の１１時２５分１９秒に復帰している。そして、２００３年２月２０日の１１時２５分１９秒にＩＤエラーが発生している。いずれも、バッテリ７３からの電源供給時に発生している。また、図示はしないが、ここでもＥＥＰＲＯＭ３５の最新監視情報記憶エリア３５１に記憶されるのと同様に、復帰日付と復帰時刻のみが監視用ＩＣタグ８６のＥＥＰＲＯＭ８６３の監視情報記憶エリア８６３１に記憶され、発生日付と発生時刻が記憶されない場合がある。この場合、電源には「１」が記憶されている。これはバッテリ７３による電源供給時にバッテリ７３が取り外されたことを示すものであり、電源供給がなされないため、発生日付と発生時刻は記憶できず、再度バッテリ７３が取り付けられた際に、その復帰日付と復帰時刻を記憶するために起こるものである。
【００４９】
６．監視処理の説明
ここで、Ｒ／Ｗユニット３０による監視場所の監視について図１３乃至図１６を参照してフローチャートを用いて説明する。Ｒ／Ｗユニット３０に電源が供給され、ハードウェア診断や各デバイスの初期化、バッテリ７３の装着の検出等のイニシャライズ処理（第１検出手段に相当）が行われた後に、ＣＰＵ３２において監視基本処理が実行される。監視基本処理では、各監視場所の監視処理が繰り返し実施される。監視処理は、監視場所１〜監視場所５（主基板ボックス８１、払出制御基板ボックス８２、センターカバー８０、本体枠１１０と機枠１１２、前面枠１１１と本体枠１１０）と監視場所６（大入賞口１６）とで異なる。図１３は、Ｒ／Ｗ基板３１のＣＰＵ３２で実施される監視基本処理のフローチャートである。図１４は、監視基本処理の中で行われる大入賞口１６以外の監視場所の監視を行う監視処理のフローチャートである。図１５及び図１６は、監視基本処理の中で行われる大入賞口１６の監視を行う大入賞口監視処理のフローチャートである。
【００５０】
まず、図１３を参照して、監視基本処理について、フローチャートを用いて説明する。まず、各エラーフラグに初期値の「１」がセットされ、通信状態フラグに「０」がセットされる（Ｓ１）。そして、Ｓ２〜Ｓ１１の処理が繰り返し実施され、監視が行われる。
【００５１】
尚、エラーフラグは、各監視場所毎に設けられており、「０」が記憶されている場合には監視用ＩＣタグ８６との通信が正常に行われており、「１」が記憶されている場合には監視用ＩＣタグ８６との通信が正常に行われていないことを示している。そして、監視場所１〜監視場所６毎に応答エラーフラグ及びＩＤエラーフラグが設けられている。尚、応答エラーは監視用アンテナ６８から送信された呼出波に対して、監視用ＩＣタグ８６が反射波を返信してこなかった場合を示し、ＩＤエラーは反射波に含まれているＩＤコードが予め登録されているものと異なっている場合を示している。したがって、監視基本処理が開始される際には、各監視用ＩＣタグ８６と正常な通信はまだ成立していないので、初期値として正常に通信が行われていないエラー状態を示す「１」がセットされる。また、通信状態フラグも、各監視場所毎に設けられており、監視用ＩＣタグ８６との通信が正常に行われている場合には「１」が記憶されて「ＯＮ」とされている。そこで、本監視基本処理実施開始時には、まだ監視用ＩＣタグ８６との通信は正常に行われていないので、初期値として「０」が記憶されて「ＯＦＦ」とされる。
【００５２】
図１３のＳ２〜Ｓ１１に示すように、主基板ボックス８１（監視場所１）（Ｓ２）、大入賞口１６（監視場所６）（Ｓ３）、払出制御基板ボックス８２（監視場所２）（Ｓ４）、大入賞口１６（監視場所６）（Ｓ５）、センターカバー８０（監視場所３）（Ｓ６）、大入賞口１６（監視場所６）（Ｓ７）、本体枠１１０と機枠１１２（監視場所４）（Ｓ４）、大入賞口１６（監視場所６）（Ｓ５）、前面枠１１１と本体枠１１０（監視場所５）（Ｓ１０）、大入賞口１６（監視場所６）（Ｓ１１）の順で監視が行われる。大入賞口１６については、遊技者が不正行為を行っているのを発見するために監視しているので、他の監視場所よりも頻繁に監視をする必要があり、監視回数も多く設定されている。
【００５３】
次に、図１４のフローチャートを参照して、大入賞口１６以外の監視場所の監視を行う監視処理について説明する。ここでは、大入賞口１６以外の監視場所である主基板ボックス８１（監視場所１）、払出制御基板ボックス８２（監視場所２）、センターカバー８０（監視場所３）、本体枠１１０と機枠１１２（監視場所４）、前面枠１１１と本体枠１１０（監視場所５）についての監視が行われ、どの監視場所の監視処理を行うのかの情報は監視場所を示す番号を用いて監視基本処理から指示される。
【００５４】
まず、監視基本処理から指示されている監視場所の監視用アンテナ６８から呼出波が送信される（Ｓ４１）。そして、監視用ＩＣタグ８６から反射波の返送があるか否かの判断が行われる（Ｓ４２）。反射波の返送がない場合には（Ｓ４２：ＮＯ）、応答エラーが発生している。しかし、既に応答エラーが発生して、応答エラーフラグが「ＯＮ」となっている場合には、既に応答エラー発生の監視情報は記憶されているので、監視情報の記憶は行われない。そこで、応答エラーフラグが「ＯＮ」となっているか否かの判断が行われる（Ｓ４３）。「ＯＮ」となっている場合（Ｓ４３：ＹＥＳ）、そのまま処理を終了して、監視基本処理へ戻る。「ＯＮ」となっていない場合（Ｓ４３：ＮＯ）には、当該監視場所の応答エラーフラグに「１」が記憶され「ＯＮ」となり（Ｓ４４）、通信状態フラグに「０」が記憶され「ＯＦＦ」となる（Ｓ４５）。そして、現在処理を行っている監視場所の開始フラグが「ＯＮ」となっているか否かの判断が行われる（Ｓ４６）。「ＯＮ」となっていない場合には（Ｓ４６：ＮＯ）、まだ監視が開始されていないので、監視情報は記憶されず、そのまま処理を終了して、監視基本処理へ戻る。
【００５５】
開始フラグが「ＯＮ」となっている場合には（Ｓ４６：ＹＥＳ）、監視が開始されているので、Ｒ／Ｗ基板３１のＥＥＰＲＯＭ３５の最新監視情報記憶エリア３５１及びＲＡＭ３４の履歴監視情報記憶エリア３４１に監視情報が記憶される（Ｓ４７）。具体的には、最新監視情報記憶エリア３５１の当該監視場所のエリアがクリアされ、現在の日付及び時刻が発生日付及び発生時刻として記憶され、ＩＤエラーに応答エラーを示す「０」が記憶され、電源にバッテリ供給フラグの値が記憶される。そして、履歴監視情報記憶エリア３４１には、時刻に現在の時刻、監視場所に当該監視場所の番号、状態に発生を示す「１」、ＩＤエラーに応答エラーを示す「０」、電源にバッテリ供給フラグの値がセットされているデータが新しく追加記憶される。そして、島管理端末１００へ応答エラー発生を示すデータが送信され（Ｓ４８）、処理を終了して、監視基本処理へ戻る。
【００５６】
また、監視用ＩＣタグ８６から反射波の返送があった場合には（Ｓ４２：ＹＥＳ）、反射波に含まれているＩＤコードが予め登録されているものと一致しているか否かの判断が行われる（Ｓ４９）。尚、各監視場所に備えられている監視用ＩＣタグ８６のＩＤコードは、Ｒ／Ｗ基板３１のＥＥＰＲＯＭ８６３に記憶されている。ＩＤコードが一致していない場合には（Ｓ４９：ＮＯ）、ＩＤエラーが発生している。しかし、既にＩＤエラーが発生して、ＩＤエラーフラグが「ＯＮ」となっている場合には、既にＩＤエラー発生の監視情報は記憶されているので、監視情報の記憶は行わない。そこで、ＩＤエラーフラグが「ＯＮ」となっているか否かの判断が行われる（Ｓ５０）。「ＯＮ」となっている場合（Ｓ５０：ＹＥＳ）、監視情報は記憶されないので、そのまま処理を終了して、監視基本処理へ戻る。「ＯＮ」となっていない場合（Ｓ５０：ＮＯ）、当該監視場所のＩＤエラーフラグに「１」が記憶され「ＯＮ」とされ（Ｓ５１）、通信状態フラグに「０」が記憶され「ＯＦＦ」とされる（Ｓ５２）。そして、現在処理を行っている監視場所の開始フラグが「ＯＮ」となっているか否かの判断が行われる（Ｓ５３）。「ＯＮ」となっていない場合には（Ｓ５３：ＮＯ）、まだ監視が開始されていないので、監視情報は記憶されず、そのまま処理を終了して、監視基本処理へ戻る。
【００５７】
開始フラグが「ＯＮ」となっている場合には（Ｓ５３：ＹＥＳ）、監視が開始されているので最新監視情報記憶エリア３５１及び履歴監視情報記憶エリア３４１に監視情報が記憶される（Ｓ５４）。具体的には、最新監視情報記憶エリア３５１の当該監視場所のエリアがクリアされ、現在の日付及び時刻が発生日付及び発生時刻として記憶され、ＩＤエラーにＩＤエラーを示す「１」が記憶され、電源にバッテリ供給フラグの値が記憶される。そして、履歴監視情報記憶エリア３４１には、時刻に現在の時刻、監視場所に当該監視場所の番号、状態に発生を示す「１」、ＩＤエラーにＩＤエラーを示す「１」、電源にバッテリ供給フラグの値がセットされているデータが新しく追加記憶される。そして、島管理端末１００へＩＤエラー発生を示すデータが送信され（Ｓ５５）、処理を終了して、監視基本処理へ戻る。
【００５８】
また、反射波に含まれているＩＤコードと予め登録されているＩＤコードとが一致している場合には（Ｓ４９：ＹＥＳ）、監視用ＩＣタグ８６と正常に通信が行われており、監視用ＩＣタグ８６も不正なものではないということ、即ち当該監視場所は正常であるということになる。そこで、通信状態ＬＥＤ７６が点灯され（Ｓ５６）、通信状態フラグに「０」が記憶されて「ＯＮ」とされる（Ｓ５７）そして、応答エラーフラグ及びＩＤエラーフラグが「ＯＮ」であるかの確認が行われる。「ＯＮ」となっている場合には、エラーが発生しており、回復して、現在正常となっているので、各エラーフラグをクリアし、復帰したことを示す監視情報を記憶する必要がある。
【００５９】
そこで、まず、応答エラーフラグが「ＯＮ」であるか否かの判断が行われる（Ｓ５８）。応答エラーフラグが「ＯＮ」である場合には（Ｓ５８：ＹＥＳ）、当該監視場所の応答エラーフラグに「０」が記憶されて「ＯＦＦ」とされる（Ｓ５９）。そして、復帰を示す監視情報が記憶されるが、開始フラグが「ＯＮ」でなければ、まだ監視の指示が与えられていないので、監視情報の記憶は行われない。そこで、当該監視場所の開始フラグが「ＯＮ」であるか否かを判定する（Ｓ６０）。開始フラグが「ＯＮ」でない場合には（Ｓ６０：ＮＯ）、何もせずに終了して、監視基本処理へ戻る。
【００６０】
開始フラグが「ＯＮ」である場合には（Ｓ６０：ＹＥＳ）、最新監視情報記憶エリア３５１及び履歴監視情報記憶エリア３４１に監視情報が記憶され（Ｓ６１）、当該監視場所に設置されている監視用ＩＣタグ８６のＥＥＰＲＯＭ８６３の監視情報記憶エリア８６３１に監視情報が記憶される（Ｓ６２）。具体的には、最新監視情報記憶エリア３５１の当該監視場所のエリアがクリアされ、現在の日付及び時刻が復帰日付及び復帰時刻として記憶され、ＩＤエラーに応答エラーを示す「０」が記憶され、電源にバッテリ供給フラグの値が記憶される。そして、履歴監視情報記憶エリア３４１には、時刻に現在の時刻、監視場所に当該監視場所の番号、状態に復帰を示す「２」、ＩＤエラーに応答エラーを示す「０」、電源にバッテリ供給フラグの値がセットされているデータが新しく追加記憶される。そして、監視情報記憶エリア８６３１には、最新監視情報記憶エリア３５１の当該監視場所に記憶されているデータと同じデータが記憶される。そして、島管理端末１００へ応答エラー復帰を示すデータが送信され（Ｓ６３）、処理を終了して、監視基本処理へ戻る。
【００６１】
また、応答エラーフラグが「ＯＮ」でない場合には（Ｓ５８：ＮＯ）、ＩＤエラーフラグが「ＯＮ」であるか否かの判断が行われる（Ｓ６４）。ＩＤエラーフラグが「ＯＮ」である場合には（Ｓ６４：ＹＥＳ）、当該監視場所のＩＤエラーフラグに「０」が記憶されて「ＯＦＦ」とされる（Ｓ６５）。そして、復帰を示す監視情報が記憶されるが、開始フラグが「ＯＮ」でなければ、まだ監視の指示が与えられていないので、監視情報の記憶は行わない。そこで、当該監視場所の開始フラグが「ＯＮ」であるか否かを判定する（Ｓ６６）。開始フラグが「ＯＮ」でない場合には（Ｓ６６：ＮＯ）、何もせずに終了して、監視基本処理へ戻る。
【００６２】
開始フラグが「ＯＮ」である場合には（Ｓ６６：ＹＥＳ）、最新監視情報記憶エリア３５１及び履歴監視情報記憶エリア３４１に監視情報が記憶され（Ｓ６７）、当該監視場所に設置されている監視用ＩＣタグ８６のＥＥＰＲＯＭ８６３の監視情報記憶エリア８６３１に監視情報が記憶される（Ｓ６８）。具体的には、最新監視情報記憶エリア３５１の当該監視場所のエリアがクリアされ、現在の日付及び時刻が復帰日付及び復帰時刻として記憶され、ＩＤエラーにＩＤエラーを示す「１」が記憶され、電源にバッテリ供給フラグの値が記憶される。そして、履歴監視情報記憶エリア３４１には、時刻に現在の時刻、監視場所に当該監視場所の番号、状態に復帰を示す「２」、ＩＤエラーにＩＤエラーを示す「１」、電源にバッテリ供給フラグの値がセットされているデータが新しく追加記憶される。そして、監視情報記憶エリア８６３１には、最新監視情報記憶エリア３５１の当該監視場所に記憶されているデータと同じデータが記憶される。そして、島管理端末１００へＩＤエラー復帰を示すデータが送信され（Ｓ６９）、処理を終了して、監視基本処理へ戻る。
【００６３】
そして、ＩＤエラーフラグが「ＯＮ」でない場合には（Ｓ６４：ＮＯ）、前回の監視から引き続き正常であることを示しているので、そのまま処理を終了して、監視基本処理へ戻る。以上のようにして、監視場所１〜監視場所５の監視が行われる。
【００６４】
次に、図１５及び図１６のフローチャートを参照して、大入賞口１６の監視を行う大入賞口監視処理について説明する。ここでは、監視場所６である大入賞口１６の監視が行われる。大入賞口１６は、パチンコ機１で遊技者が遊技を行っている際に大当たり遊技状態となり、開放されることがある。つまり、パチンコ機１の遊技上の制御で開放されている場合には、ゴト行為等により開放されているのではないため、エラーとして監視情報を残す必要はない。また、不正のために前面枠１１１を開いて、大入賞口１６を開いた場合には、前面枠１１１に監視情報が記憶されているので、大入賞口１６にまで監視情報を残す必要はない。そこで、パチンコ機１の遊技上の制御により大入賞口１６が開放中である場合、監視場所５（前面枠１１１と本体枠１１０）に応答エラーが発生している場合には、異常とみなさないこととする。
【００６５】
まず、監視基本処理から指示されている監視場所の監視用アンテナ６８ｆから呼出波が送信される（Ｓ１０１）。そして、監視用ＩＣタグ８６ｆから反射波の返送があるか否かの判断が行われる（Ｓ１０２）。反射波の返送がない場合には（Ｓ１０２：ＮＯ）、応答エラーが発生している。しかし、パチンコ機１の遊技上の制御により大入賞口１６が開放中である場合には、不正により応答エラーが発生しているのではなく正規の開放であるので、パチンコ機１の遊技上の制御により大入賞口１６が開放中であるか否かの判断が行われる（Ｓ１０３）。この判断は、パチンコ機１のＣＰＵ５１から出力ポート５５、入力ポート３９を介してＲ／Ｗ基板３１のＣＰＵ３２へ送信されてくる信号により行われる。大入賞口１６の開放が開始された際には開放中信号が送信され、大入賞口１６が閉鎖された際には閉鎖中信号が送信される。大入賞口１６が開放中である場合には（Ｓ１０３：ＹＥＳ）、何もせずに処理を終了して、監視基本処理へ戻る。さらに、監視場所５（前面枠１１１と本体枠１１０）に応答エラーが発生している場合にも、異常とみなさないので、監視場所５の応答エラーフラグが「ＯＮ」である場合にも（Ｓ１０４：ＹＥＳ）、何もせずに処理を終了して、監視基本処理へ戻る。
【００６６】
監視場所５の応答エラーフラグが「ＯＮ」でない場合には（Ｓ１０４：ＮＯ）、大入賞口１６で不正な開放が行われている。そこで、既に応答エラーが発生して応答エラーフラグが「ＯＮ」となっているか否かの判断が行われる（Ｓ１０５）。「ＯＮ」となっている場合には（Ｓ１０５：ＹＥＳ）、そのまま処理を終了して、監視基本処理へ戻る。「ＯＮ」となっていない場合には（Ｓ１０５：ＮＯ）、当該監視場所の応答エラーフラグに「１」が記憶され「ＯＮ」とされ（Ｓ１０６）、通信状態フラグに「０」が記憶され「ＯＦＦ」とされる（Ｓ１０７）。そして、監視場所６の開始フラグが「ＯＮ」となっているか否かの判断が行われる（Ｓ１０８）。「ＯＮ」となっていない場合には（Ｓ１０８：ＮＯ）、まだ監視が開始されていないので、監視情報は記憶されず、そのまま処理を終了して、監視基本処理へ戻る。
【００６７】
開始フラグが「ＯＮ」となっている場合には（Ｓ１０８：ＹＥＳ）、監視が開始されているので、最新監視情報記憶エリア３５１及び履歴監視情報記憶エリア３４１に監視情報が記憶される（Ｓ１０９）。具体的には、最新監視情報記憶エリア３５１の当該監視場所のエリアがクリアされ、現在の日付及び時刻が発生日付及び発生時刻として記憶され、ＩＤエラーに応答エラーを示す「０」が記憶され、電源にバッテリ供給フラグの値が記憶される。そして、履歴監視情報記憶エリア３４１には、時刻に現在の時刻、監視場所に当該監視場所の番号、状態に発生を示す「１」、ＩＤエラーに応答エラーを示す「０」、電源にバッテリ供給フラグの値がセットされているデータが新しく追加記憶される。そして、島管理端末１００へ応答エラー発生を示すデータが送信され（Ｓ１１０）、処理を終了して、監視基本処理へ戻る。
【００６８】
また、監視用ＩＣタグ８６ｆから反射波の返送があった場合には（Ｓ１０２：ＹＥＳ）、反射波に含まれているＩＤコードが予め登録されているものと一致しているか否かの判断が行われる（Ｓ１１１）。尚、各監視場所に備えられている監視用ＩＣタグ８６のＩＤコードは、Ｒ／Ｗ基板３１のＥＥＰＲＯＭ８６３に記憶されている。ＩＤコードが一致していない場合には（Ｓ１１１：ＮＯ）、ＩＤエラーが発生している。しかし、既にＩＤエラーが発生して、ＩＤエラーフラグが「ＯＮ」となっている場合には、既にＩＤエラー発生の監視情報は記憶されているので、監視情報の記憶は行われない。そこで、ＩＤエラーフラグが「ＯＮ」となっているか否かの判断が行われる（Ｓ１１２）。「ＯＮ」となっている場合（Ｓ１１２：ＹＥＳ）、監視情報は記憶されないので、そのまま処理を終了して、監視基本処理へ戻る。「ＯＮ」となっていない場合（Ｓ１１２：ＮＯ）、当該監視場所のＩＤエラーフラグに「１」が記憶され「ＯＮ」とされ（Ｓ１１３）、通信状態フラグに「０」が記憶され「ＯＦＦ」とされる（Ｓ１１４）。そして、現在処理を行っている監視場所の開始フラグが「ＯＮ」となっているか否かの判断が行われる（Ｓ１１５）。「ＯＮ」となっていない場合には（Ｓ１１５：ＮＯ）、まだ監視が開始されていないので、監視情報は記憶されず、そのまま処理を終了して、監視基本処理へ戻る。
【００６９】
開始フラグが「ＯＮ」となっている場合には（Ｓ１１５：ＹＥＳ）、監視が開始されているので最新監視情報記憶エリア３５１及び履歴監視情報記憶エリア３４１に監視情報が記憶される（Ｓ１１６）。具体的には、最新監視情報記憶エリア３５１の当該監視場所のエリアがクリアされ、現在の日付及び時刻が発生日付及び発生時刻として記憶され、ＩＤエラーにＩＤエラーを示す「１」が記憶され、電源にバッテリ供給フラグの値が記憶される。そして、履歴監視情報記憶エリア３４１には、時刻に現在の時刻、監視場所に当該監視場所の番号、状態に発生を示す「１」、ＩＤエラーにＩＤエラーを示す「１」、電源にバッテリ供給フラグの値がセットされているデータが新しく追加記憶される。そして、島管理端末１００へＩＤエラー発生を示すデータが送信され（Ｓ１１７）、処理を終了して、監視基本処理へ戻る。
【００７０】
また、反射波に含まれているＩＤコードと予め登録されているＩＤコードとが一致している場合には（Ｓ１１１：ＹＥＳ）、監視用ＩＣタグ８６ｆと正常に通信が行われているということ、即ち、大入賞口１６は不正開放されてないということになる。そこで、監視場所６の通信状態ＬＥＤ７６ｆが点灯され（Ｓ１１８）、監視場所６の通信状態フラグに「１」が記憶されて「ＯＮ」とされる（Ｓ１１９）。そして、応答エラーフラグ及びＩＤエラーフラグが「ＯＮ」であるかを確認する。「ＯＮ」となっている場合には、エラーが発生しており、回復して、現在正常となっているので、各エラーフラグをクリアし、復帰したことを示す監視情報を記憶する必要がある。
【００７１】
そこで、応答エラーフラグが「ＯＮ」であるか否かの判断が行われる（Ｓ１２０）。応答エラーフラグが「ＯＮ」である場合には（Ｓ１２０：ＹＥＳ）、当該監視場所の応答エラーフラグに「０」が記憶されて「ＯＦＦ」とされる（Ｓ１２１）。そして、当該監視場所の開始フラグが「ＯＮ」であるか否かを判定する（Ｓ１２２）。開始フラグが「ＯＮ」でない場合には（Ｓ１２２：ＮＯ）、何もせずに終了して、監視基本処理へ戻る。開始フラグが「ＯＮ」である場合には（Ｓ１２２：ＹＥＳ）、最新監視情報記憶エリア３５１及び履歴監視情報記憶エリア３４１に監視情報が記憶され（Ｓ１２３）、当該監視場所に設置されている監視用ＩＣタグ８６ｆのＥＥＰＲＯＭ８６３ｆの監視情報記憶エリア８６３１に監視情報が記憶される（Ｓ１２４）。具体的には、最新監視情報記憶エリア３５１の当該監視場所のエリアがクリアされ、現在の日付及び時刻が復帰日付及び復帰時刻として記憶され、ＩＤエラーに応答エラーを示す「０」が記憶され、電源にバッテリ供給フラグの値が記憶される。そして、履歴監視情報記憶エリア３４１には、時刻に現在の時刻、監視場所に当該監視場所の番号、状態に復帰を示す「２」、ＩＤエラーに応答エラーを示す「０」、電源にバッテリ供給フラグの値がセットされているデータが新しく追加記憶される。そして、監視情報記憶エリア８６３１には、最新監視情報記憶エリア３５１の当該監視場所に記憶されているデータと同じデータが記憶される。そして、島管理端末１００へ応答エラー復帰を示すデータが送信され（Ｓ１２５）、処理を終了して、監視基本処理へ戻る。
【００７２】
そして、応答エラーフラグが「ＯＮ」でない場合には（Ｓ１２０：ＮＯ）、ＩＤエラーフラグが「ＯＮ」であるか否かの判断が行われる（Ｓ１２６）。ＩＤエラーフラグが「ＯＮ」である場合には（Ｓ１２６：ＹＥＳ）、当該監視場所のＩＤエラーフラグに「０」が記憶されて「ＯＦＦ」とされる（Ｓ１２７）。そして、復帰を示す監視情報が記憶されるが、開始フラグが「ＯＮ」でなければ、まだ監視の指示が与えられていないので、監視情報の記憶は行われない。そこで、当該監視場所の開始フラグが「ＯＮ」であるか否かの判定が行われる（Ｓ１２８）。開始フラグが「ＯＮ」でない場合には（Ｓ１２８：ＮＯ）、何もせずに終了して、監視基本処理へ戻る。
【００７３】
開始フラグが「ＯＮ」である場合には（Ｓ１２８：ＹＥＳ）、最新監視情報記憶エリア３５１及び履歴監視情報記憶エリア３４１に監視情報が記憶され（Ｓ１２９）、当該監視場所に設置されている監視用ＩＣタグ８６のＥＥＰＲＯＭ８６３の監視情報記憶エリア８６３１に監視情報が記憶される（Ｓ１３０）。具体的には、最新監視情報記憶エリア３５１の当該監視場所のエリアがクリアされ、現在の日付及び時刻が復帰日付及び復帰時刻として記憶され、ＩＤエラーにＩＤエラーを示す「１」が記憶され、電源にバッテリ供給フラグの値が記憶される。そして、履歴監視情報記憶エリア３４１には、時刻に現在の時刻、監視場所に当該監視場所の番号、状態に復帰を示す「２」、ＩＤエラーにＩＤエラーを示す「１」、電源にバッテリ供給フラグの値がセットされているデータが新しく追加記憶される。そして、監視情報記憶エリア８６３１には、最新監視情報記憶エリア３５１の当該監視場所に記憶されているデータと同じデータが記憶される。そして、島管理端末１００へＩＤエラー復帰を示すデータが送信され（Ｓ１３１）、処理を終了して、監視基本処理へ戻る。
【００７４】
そして、ＩＤエラーフラグが「ＯＮ」でない場合には（Ｓ１２６：ＮＯ）、前回の監視から引き続き正常であることを示しているので、そのまま処理を終了して、監視基本処理へ戻る。以上のようにして、監視場所６の監視が行われる。
【００７５】
このようにして、監視基本処理が繰り返されることにより、Ｒ／Ｗ基板３１から監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆへ呼出波を送信することにより、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの移動や取替えを監視することができる。
【００７６】
７．監視開始の説明
次に、監視の開始について図１７乃至図２０を参照して説明する。図１７は、Ｒ／Ｗ基板３１のＥＥＰＲＯＭ３５に記憶されているバッテリ情報記憶エリア３５２の一例であるバッテリ情報記憶エリア３５２１の模式図である。図１８は、監視の開始が行われる電源監視処理のフローチャートである。図１９は、電源監視処理の中で行われる開始チェック処理のフローチャートである。また、図２０は、Ｒ／Ｗ基板３１のＥＥＰＲＯＭ３５に記憶されているバッテリ情報記憶エリア３５２の一例であるバッテリ情報記憶エリア３５２２の模式図である。本実施の形態では、Ｒ／Ｗユニット３０に供給されている電源が、外部電源７４からＲ／Ｗユニット３０が備えているバッテリ７３に切り替わった際に、監視情報の記憶を開始することにより、監視が開始される。監視処理（図１４参照）、大入賞口監視処理（図１５、図１６参照）の説明で述べたように、各監視用ＩＣタグ８６毎に設けられた開始フラグに「１」が記憶されて「ＯＮ」となっている際に監視情報は記憶される。すなわち、開始フラグが「ＯＮ」となると記憶可能状態となり、監視が開始されることになる。尚、電源がバッテリ７３に切り替わった場合には、監視場所に備えられている監視用ＩＣタグ８６が通信状態となっている監視場所についてのみ開始フラグが「ＯＮ」とされる。
【００７７】
まず、図１７、図２０を参照して、バッテリ情報記憶エリア３５２について説明する。ここへは、電源監視処理（図１８参照）において、電源の状態が監視され、バッテリ７３についてのバッテリ情報が記憶され、バッテリ情報としては、「日付」、「時刻」、「コード」が扱われる。「日付」及び「時刻」には情報が記憶された日付及び時刻が記憶される。そして、「コード」には、バッテリ７３の蓄電量が少なくなった際に「１」が記憶され、バッテリ７３の蓄電量が少なくなった状態から復帰した際に「０」が記憶され、バッテリ７３が取り付けられた際にに「６」が記憶される。また、Ｒ／Ｗユニット３０に電源が投入された際に行われるイニシャライズ処理において、電源が投入されたということを示すために「９」が記憶される。
【００７８】
例えば、バッテリ７３による電源供給で稼動中に、バッテリ７３の蓄電量が少なくなり、Ｒ／Ｗユニット３０の電源が断たれたような場合には、新しいバッテリ７３が取り付けられたり、外部電源７４に接続したりして、Ｒ／Ｗユニット３０が立ち上げられることになる。図１７に示すバッテリ情報記憶エリア３５２１は、前者の場合であり、蓄電量の減少によりＲ／Ｗユニット３０が電源断となり、その後十分に蓄電されたバッテリ７３が取り付けられた場合のバッテリ情報の例である。図１７に示すように、２００３年２月２０日の９時３０分１０秒にＲ／Ｗユニット３０が起動し、９時３０分１０秒にバッテリ７３が取り付けられていることを検知している。そして、２００３年２月２０日の１０時１５分５８秒にバッテリ７３の残量警告が発生し、そして、２００３年２月２０日の１３時４０分４０秒にもＲ／Ｗユニット３０が起動し、バッテリ７３が取り付けられていることを検知している。そして、十分に充電されたバッテリ７３が取り付けられているので、バッテリ７３の残量警告からは復帰している。
【００７９】
したがって、バッテリ情報記憶エリア３５２１を参照した際には、コード「１」のデータがあることから、バッテリ７３の蓄電量が少なくなったことにより、Ｒ／Ｗユニット３０の電源が断たれたことが推察され、さらに、その後続けてコード「９」、「６」、「０」のデータがあるので、充電されたバッテリ７３が取り付けられたことが推察される。
【００８０】
また、悪意を持った者が主基板ボックス８１に収納された主基板４１上のＲＯＭを不正なＲＯＭと交換する場合、Ｒ／Ｗユニット３０による監視を止めたい。そこで、パチンコ機１を工場から遊技場に輸送する最中であれば、Ｒ／Ｗユニット３０はバッテリ７３で稼働しているので、悪意の者はバッテリ７３を取り外す。また、遊技場に設置後であれば、悪意の者は外部電源７４を断ち（バッテリ７３からの電源供給に切り替わる）、バッテリ７３を取り外す。そして、悪意の者は不正なＲＯＭとの交換の後に、バッテリ７３を再度取り付ける。図２０に示すバッテリ情報記憶エリア３５２２は、このように、バッテリ７３による電源供給で稼動中にバッテリ７３が取り外された場合のバッテリ情報の例である。図２０に示す例では、２００３年２月２０日の９時３０分１０秒にＲ／Ｗユニット３０が起動し、９時３０分１０秒にバッテリ７３が取り付けられていることを検知している。そして、２００３年２月２０日の１３時４０分４０秒にもＲ／Ｗユニット３０が起動し、バッテリ７３が取り付けられていることを検知している。
【００８１】
したがって、ＲＯＭが不正なものと交換されていた場合に、いつ交換が行われたかを推察する際には、バッテリ情報記憶エリア３５２２から２００２年２月２０日の９時３０分１０秒から１３時４０分４０秒の間に、バッテリ７３の取り外しによる電源断が発生しており、この間に交換された可能性が高いと推察される。
【００８２】
次に、図１８を参照して、電源監視処理について説明する。本処理は、前述した監視処理（図１４）や大入賞口監視処理（図１５、図１６）と同様に、イニシャライズ処理が行われた後に実施される。まず、本電源監視処理で使用されるフラグについて説明する。ここでは、電圧低下フラグ、バッテリ供給フラグ、残量警告フラグ、バッテリ取付フラグが使用される。電圧低下フラグは、外部電源７４からの電圧が５Ｖ以下に低下した際に「ＯＮ」とされ、５Ｖ以上の電圧がある場合には「ＯＦＦ」とされる。バッテリ供給フラグは、バッテリ７３から電源供給されている場合に「ＯＮ」とされ、外部電源７４から電源供給されている場合には「ＯＦＦ」とされる。また、バッテリ取付フラグは、バッテリ７３が取り付けられている（バッテリ７３からの電圧が０Ｖでない）場合には「ＯＮ」とされ、バッテリが取り外されている、又は、取り付けられていてもバッテリとしての機能を果たさない（バッテリ７３からの電圧が０Ｖである）場合には「ＯＦＦ」とされる。なお、外部電源７４からの電圧が低下すると自動的にバッテリ７３からの電源供給に切り替わるように、電源回路７２が構成されている。また、残量警告フラグはバッテリ７３からの電圧が３．３Ｖ以下に低下した際にバッテリ７３の蓄電量が少なくなり、バッテリ７３からの電源供給ができなくなる前段階の状態であるとして「ＯＮ」される。そして、３．３Ｖ以上の電圧がある場合には、バッテリ７３からの電源供給に問題はないとして「ＯＦＦ」される。
【００８３】
まず、Ｉ／Ｏインタフェイス３７の図示外の公知の電圧検出回路において外部電源７４からの電圧が測定される（Ｓ２０１）。測定された電圧が５Ｖ以下であれば（Ｓ２０２：ＹＥＳ）、外部電源７４からの電圧が低下しているので、電圧低下フラグに「１」が記憶されて「ＯＮ」となる（Ｓ２０５）。また、電圧が５Ｖ以下でなければ（Ｓ２０２：ＮＯ）、電圧低下フラグに「０」が記憶されて「ＯＦＦ」となり（Ｓ２０３）、バッテリ供給フラグに「０」が記憶されて「ＯＦＦ」となる（Ｓ２０４）。
【００８４】
次いで、Ｉ／Ｏインタフェイス３７の図示外の公知の電圧検出回路においてバッテリ７３からの電圧が測定される（Ｓ２０６）。測定されたバッテリ７３の電圧が０Ｖであれば（Ｓ２０７：ＹＥＳ）、バッテリが取り外されている、又は、取り付けられていてもバッテリとしての機能を果たしていないことになる。そこで、バッテリ取付フラグが「ＯＮ」であれば（Ｓ２１１：ＹＥＳ）、バッテリ取付フラグに「０」が記憶されて「ＯＦＦ」とされ（Ｓ２１２）、Ｓ２０１へ戻る。なお、既にバッテリ取付フラグが「ＯＦＦ」となっていれば（Ｓ２１１：ＮＯ）、何もせずにＳ２０１へ戻る。
【００８５】
また、Ｓ２０６で測定されたバッテリ７３の電圧が０Ｖでなければ（Ｓ２０７：ＮＯ）、バッテリ７３は取付られていることになる。そこで、バッテリ取付フラグが「ＯＦＦ」であり、「ＯＮ」でなければ（Ｓ２０８：ＮＯ）、バッテリ取付フラグに「１」が記憶されて「ＯＮ」とされ（Ｓ２０９）、さらに、バッテリ情報記憶エリア３５２へバッテリ７３が取り付けられた旨の情報が記憶される（Ｓ２１０）。具体的には、「日付」及び「発生時刻」現在の日付および時刻が、「コード」にバッテリ７３が取り付けられたことを示す「６」が記憶される。尚、現在の日付及び時刻はＲＴＣ７１による計時結果に基づいて、算出されている。そして、Ｓ２１７へ進む。尚、バッテリ取付フラグが既に「ＯＮ」となっている場合には（Ｓ２０８：ＹＥＳ）、何もせずにＳ２１７へ進む。
【００８６】
また、Ｓ２０６で測定されたバッテリ７３の電圧が３．３Ｖ以下であれば（Ｓ２１７：ＹＥＳ）、電圧が下がっているので残量警告フラグを「ＯＮ」し、その情報をバッテリ情報記憶エリア３５２に記憶する必要がある。しかし、既に残量警告フラグが「ＯＮ」とされており、バッテリ情報記憶エリア３５２への記憶がなされている場合にはその必要がないので、残量警告フラグが「ＯＮ」であるか否かの判断が行われ（Ｓ２２５）、残量警告フラグが「ＯＮ」でない場合には（Ｓ２２５：ＮＯ）、残量警告フラグに「１」が記憶されて「ＯＮ」とされ（Ｓ２２６）、バッテリ情報記憶エリア３５２に、「日付」及び「発生時刻」が現在の日付および時刻が、「コード」に残量警告フラグが「ＯＮ」とされたことを示す「１」が記憶される（Ｓ２２７）。尚、現在の日付及び時刻はＲＴＣ７１による計時結果に基づいて、算出されている。そして、Ｓ２０１へ戻る。残量警告フラグが既に「ＯＮ」とされている場合には（Ｓ２２５：ＹＥＳ）、何もせずにそのままＳ２０１へ戻る。
【００８７】
また、測定された電圧が３．３Ｖ以下でなければ（Ｓ２１７：ＮＯ）、バッテリの蓄電量は充分である。そこで、残量警告フラグが「ＯＮ」であるか否かの判断が行われ（Ｓ２１８）、「ＯＮ」である場合には（Ｓ２１８：ＹＥＳ）、残量警告フラグに「０」が記憶されて「ＯＦＦ」とされる（Ｓ２１９）。そして、バッテリ情報記憶エリア３５２に「日付」及び「発生時刻」に現在の日付および時刻が、「コード」に残量警告フラグが「ＯＦＦ」とされたことを示す「０」が記憶される（Ｓ２２０）。残量警告フラグが「ＯＦＦ」であった場合には（Ｓ２１８：ＮＯ）、何もしない。尚、現在の日付及び時刻はＲＴＣ７１による計時結果に基づいて、算出されている。
【００８８】
そして、電圧低下フラグが「ＯＮ」であるか否かの判断が行われる（Ｓ２２１）。電圧低下フラグが「ＯＮ」でない場合には（Ｓ２２１：ＮＯ）、外部電源７４から電源供給され、通常に稼動しているので、そのままＳ２０１へ戻る。しかし、電圧低下フラグが「ＯＮ」である場合には（Ｓ２２１：ＹＥＳ）、外部電源７４からの電圧が低下しているので、バッテリ７３から電源供給されている。そこで、バッテリ供給フラグを「ＯＮ」とし、開始チェック処理を行う必要がある。しかし、既にバッテリ供給フラグが「ＯＮ」となっており、開始チェック処理が実施済みである場合にはその必要がないので、バッテリ供給フラグが「ＯＮ」であるか否かの判断が行われる（Ｓ２２２）。バッテリ供給フラグが「ＯＮ」である場合には（Ｓ２２２：ＹＥＳ）、そのままＳ２０１へ戻る。
【００８９】
バッテリ供給フラグが「ＯＮ」でない場合には（Ｓ２２２：ＮＯ）、バッテリ供給フラグに「１」が記憶されて「ＯＮ」とされ、（Ｓ２２３）、開始チェック処理が行われる（Ｓ２２４）。そして、Ｓ２０１へ戻る。開始チェック処理は、各監視場所について監視用ＩＣタグ８６と正常に通信が行われている場合には監視を開始させる。ここで、図１９のフローチャートを参照して開始チェック処理について説明する。
【００９０】
図１９に示すように、まず、監視場所の番号をカウントするためのカウント変数ｎに初期値の「０」がセットされる（Ｓ２５１）。そして、カウント変数ｎに「１」が加算される（Ｓ２５２）。監視場所は６箇所なので、カウント変数ｎの値が「６」より大きいか否かの判断が行われる（Ｓ２５３）。「６」より大きくなければ（Ｓ２５３：ＮＯ）、ｎ番目の監視場所の開始フラグが「ＯＮ」となっており、既に監視が開始されているか否かの判断が行われる（Ｓ２５４）。開始フラグが「ＯＮ」であり、すでに監視が開始されている場合には（Ｓ２５４：ＹＥＳ）、なにもせずにＳ２５２へ戻る。また、開始フラグが「ＯＮ」でなく、監視が開始されていない場合には（Ｓ２５４：ＮＯ）、ｎ番目の監視場所の監視用ＩＣタグ８６と正常に通信が行われているか否かの判断が行われる（Ｓ２５５）。この判断は、ｎ番目の監視場所の通信状態フラグに「１」が記憶されて「ＯＮ」となっているか否かにより行われる。通信状態フラグが「ＯＦＦ」であり、正常に通信が行われていない場合には（Ｓ２５５：ＮＯ）、監視を開始しないので、なにもせずにＳ２５２へ戻る。通信状態フラグが「ＯＮ」であり、正常に通信が行われている場合には（Ｓ２５５：ＹＥＳ）、ｎ番目の監視場所の開始フラグに「１」が記憶され「ＯＮ」とされ（Ｓ２５６）、ｎ番目の監視開始ＬＥＤ７７が点灯される（Ｓ２５７）。そして、Ｓ２５２へ戻る。
【００９１】
次いで、さらにカウント変数ｎに「１」が加算されて（Ｓ２５２）、カウント変数ｎの値が「６」より大きくなるまで、Ｓ２５４〜Ｓ２５７の処理が繰り返し行われ、カウント変数ｎの値が「６」より大きくなったら（Ｓ２５３：ＹＥＳ）、処理を終了する。
【００９２】
以上のようにして、外部電源７４とバッテリ７３の電圧を繰り返し測定することにより、どちらから電源供給を受けているかを監視している。そして、外部電源７４の電圧が５Ｖ以下であり（電圧低下フラグ「ＯＮ」）、バッテリ７３の電圧が３．３Ｖ以下でない場合には、バッテリ７３から電源供給を受けていると判断している。そして、バッテリ７３の電圧が３．３Ｖ以下でなく、電圧低下フラグが「ＯＮ」であり、バッテリ供給フラグが「ＯＦＦ」である場合には、電源供給が外部電源７４からバッテリ７３へ切り替わったと判断し（Ｓ２２１：ＹＥＳ、Ｓ２２２：ＮＯ）、開始チェック処理が行わる。そして、各監視場所について監視用ＩＣタグ８６と正常に通信が行われて通信状態となっている場合には、監視が開始される。
【００９３】
８．実施の形態と請求項との対比
尚、上記実施の形態では、バッテリ７３が本発明の構成の「二次電池」に相当し、外部電源７４が「主電源」に相当し、ＲＴＣ７１が「計時手段」に相当し、図１７及び図２０に示すＲ／Ｗ基板３１のＥＥＰＲＯＭ３５のバッテリ情報記憶エリア３５２が「記憶手段」に相当している。そして、図１８に示す電源監視処理のＳ２０６，Ｓ２０７，Ｓ２０８の処理を実施するＣＰＵ３２が「第１検知手段」に相当し、Ｓ２０６，Ｓ２１７の処理を実施するＣＰＵ３２が「第２検知手段」に相当し、Ｓ２０７，Ｓ２０８，Ｓ２１０、Ｓ２１７，Ｓ２２７の処理を実施するＣＰＵ３２が「記憶制御手段」に相当する。
【００９４】
９．変形例の説明
尚、本発明は、以上詳述した実施の形態に限定されるものではなく、その趣旨を逸脱しない範囲内で種々の変更を行うことが可能である。以下に、本発明を適用する実施の形態の変形例について説明する。まず、本実施形態では所定の動作を行う装置として、遊技機の一種であるパチンコ機を例に挙げているが、所定の動作を行う装置は遊技機であるパチンコ機に限られず、パチコン機、パチスロ台等の各種の遊技機に適用可能である。さらに、遊技機に限らず、所定の動作を行って製品を製造する工作機械、所定の動作を行って商品を販売する自動販売機、所定の動作を行ってサービスを提供するサービス提供装置等にも適用可能である。
【００９５】
また、上記実施の形態では、移動を監視される被監視部材としてパチンコ機１の主基板ボックス８１、払出制御基板ボックス８２、センターカバー８０、本体枠１１０と機枠１１２、前面枠１１１と本体枠１１０、大入賞口１６を扱い、夫々一箇所に監視用ＩＣタグを設置したが、移動を監視される部材はこれに限らず、他の入賞口や普通図柄始動ゲートや各種基板に設置して、その開閉状態を監視してもよい。また、監視用ＩＣタグを設置する場所は各部材に一箇所である必要はなく、複数の位置に設置してもよい。さらに、装置がパチンコ機１でない場合にはもちろん、移動を監視される部材は上記実施の形態の部材に限らず、装置に備えられ、開閉が行われる開閉部材や装置を構成する構成部材であればよく、開閉部材の開閉や構成部材の所在を監視するために、１つ又は複数の監視用ＩＣタグを開閉部材や構成部材に設置して、その部材の移動を監視してもよい。
【００９６】
また、上記の実施の形態では、バッテリ７３の充電を自動的に行う電源回路７２を使用したが、充電の開始及び停止をＲ／Ｗ基板３１のＣＰＵ３２から指示するようにしてもよい。
【００９７】
また、上記実施の形態では、Ｒ／Ｗユニット３０の起動時、起動時にバッテリ７３を検出した時、バッテリ７３が取り付けられた時、バッテリ７３の蓄電量が所定の閾値（３．３Ｖ）以下となった時にバッテリ情報をバッテリ情報記憶エリア３５２へ記憶しているが、外部電源７４からバッテリ７３へ切り替わった時、バッテリ７３から外部電源７４へ切り替わった時にも別のコードを割り当てて、バッテリ情報を記憶してもよい。また、電源監視処理において、バッテリ７３と外部電源７４との閾値とされている５Ｖ、バッテリ７３の蓄電量の減少の閾値とされている３．３Ｖはこの値に限らず、使用される外部電源７４やバッテリ７３の電圧により相応しい値とすればよいことは言うまでもない。
【産業上の利用可能性】
【００９８】
本発明の監視システム及びそれを搭載した遊技機はパチンコ機に限らず、パチコン機、パチスロ機等の各種の遊技機に適用可能である。
【図面の簡単な説明】
【００９９】
【図１】図１は、本実施の形態の監視システムの構成図である。
【図２】図２は、パチンコ機１の前面枠１１１及び本体枠１１０を開いた状態をパチンコ機１の前面から見た斜視図である。
【図３】図３は、パチンコ機１の背面図である。
【図４】図４は、Ｒ／Ｗユニット３０の斜視図である。
【図５】図５は、パチンコ機１及びパチンコ機１に付属したＲ／Ｗユニット３０の電気的構成を示すブロック図である。
【図６】図６は、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの平面図である。
【図７】図７は、監視用ＩＣタグ８６ａ，監視用ＩＣタグ８６ｂ，監視用ＩＣタグ８６ｃ，監視用ＩＣタグ８６ｄ，監視用ＩＣタグ８６ｅ，監視用ＩＣタグ８６ｆの電気的回路構成を示すブロック図である。
【図８】図８は、主基板ボックス８１の斜視図である。
【図９】図９は、開閉扉１６ａが開放されている状態のアタッカ部材１６０の斜視図である。
【図１０】図１０は、各監視場所の最新の監視情報が記憶されているＲ／Ｗ基板３１のＥＥＰＲＯＭ３５の最新監視情報記憶エリア３５１の概念図である。
【図１１】図１１は、１日分の監視情報が記憶されているＲ／Ｗ基板３１のＲＡＭ３４の履歴監視情報記憶エリア３４１の概念図である。
【図１２】図１２は、監視用ＩＣタグ８６のＥＥＰＲＯＭ８６３の監視情報記憶エリア８６３１の概念図である。
【図１３】図１３は、Ｒ／Ｗ基板３１のＣＰＵ３２で実施される監視基本処理のフローチャートである。
【図１４】図１４は、監視基本処理の中で行われる大入賞口１６以外の監視場所の監視を行う監視処理のフローチャートである。
【図１５】図１５は、監視基本処理の中で行われる大入賞口１６の監視を行う大入賞口監視処理のフローチャートである。
【図１６】図１６は、監視基本処理の中で行われる大入賞口１６の監視を行う大入賞口監視処理のフローチャートの図１５の続きである。
【図１７】図１７は、Ｒ／Ｗ基板３１のＥＥＰＲＯＭ３５に記憶されているバッテリ情報記憶エリア３５２の一例であるバッテリ情報記憶エリア３５２１の模式図である。
【図１８】図１８は、監視の開始が行われる電源監視処理のフローチャートである。
【図１９】図１９は、電源監視処理の中で行われる開始チェック処理のフローチャートである。
【図２０】図２０は、Ｒ／Ｗ基板３１のＥＥＰＲＯＭ３５に記憶されているバッテリ情報記憶エリア３５２の一例であるバッテリ情報記憶エリア３５２２の模式図である。
【符号の説明】
【０１００】
１  パチンコ機
３０  Ｒ／Ｗユニット
３２  ＣＰＵ
３４  ＲＡＭ
３５  ＥＥＰＲＯＭ
７１  ＲＴＣ
７２  電源回路
７３  バッテリ
７４  外部電源
８６ａ  監視用ＩＣタグ
８６ｂ  監視用ＩＣタグ
８６ｃ  監視用ＩＣタグ
８６ｄ  監視用ＩＣタグ
８６ｅ  監視用ＩＣタグ
８６ｆ  監視用ＩＣタグ
【図１】
2005312793.tif 000003
【図２】
2005312793.tif 000004
【図３】
2005312793.tif 000005
【図４】
2005312793.tif 000006
【図５】
2005312793.tif 000007
【図６】
2005312793.tif 000008
【図７】
2005312793.tif 000009
【図８】
2005312793.tif 000010
【図９】
2005312793.tif 000011
【図１０】
2005312793.tif 000012
【図１１】
2005312793.tif 000013
【図１２】
2005312793.tif 000014
【図１３】
2005312793.tif 000015
【図１４】
2005312793.tif 000016
【図１５】
2005312793.tif 000017
【図１６】
2005312793.tif 000018
【図１７】
2005312793.tif 000019
【図１８】
2005312793.tif 000020
【図１９】
2005312793.tif 000021
【図２０】
2005312793.tif 000022